(57)【特許請求の範囲】
【請求項１】
複数ページの画像データを入力する入力手段と、
前記入力手段により入力された前記複数ページの画像データに基づいて、複数のシートに印刷処理する印刷手段と、
前記印刷手段により印刷処理された前記複数のシートをシート束として集積する集積手段と、
製本物の表紙として用いられるカバーシートを給紙する給紙手段と、
前記シート束と前記カバーシートを整合して前記製本物を作成する製本手段と、
右開きの製本物を作成する右開き製本モードと、前記カバーシートを給紙して左開きの製本物を作成する左開き製本モードのいずれかを設定するモード設定手段と、
前記モード設定手段が前記右開き製本モードを設定した場合と前記左開きの製本モードを設定した場合とで、前記複数ページの画像データの印刷順序が逆順となるよう前記印刷手段を制御する制御手段と、
を有することを特徴とする製本装置。
【請求項２】
前記印刷手段により第１面に印刷処理がされたシートを反転させて前記集積手段へ集積させるシート反転手段を有し、
前記シート反転手段は、前記モード設定手段が前記右開き製本モードを設定した場合と前記左開き製本モードを設定した場合とで、前記第１面に印刷処理がされたシートを反転させるか否かを切り替えることを特徴とする請求項１に記載の製本装置。
【請求項３】
前記印刷手段により第１面に印刷処理がされたシートを反転させて前記印刷手段へ再搬送する両面搬送手段を有し、
前記印刷手段は、前記両面搬送手段を用いてシートの第１面及び第２面の双方に印刷処理することを特徴とする請求項１又は２に記載の製本装置。
【請求項４】
前記集積手段に集積されたシート束の天地方向と前記カバーシートの天地方向を一致させるべく、前記モード設定手段が前記右開き製本モードを設定した場合と前記左開き製本モードを設定した場合とで、前記画像データの天地方向を異ならせる回転処理を実行する回転手段と、
前記回転手段による前記回転処理を実行させるか否かを設定する回転処理設定手段を有し、
前記制御手段は、前記回転処理設定手段が前記回転処理を実行すると設定している場合は、前記モード設定手段が前記右開き製本モードを設定している場合と前記左開き製本モードを設定している場合とで前記複数ページの画像データの印刷順序が同順となるよう制御し、前記回転処理設定手段が前記回転処理を実行しないと設定している場合は、前記モード設定手段が前記右開き製本モードを設定している場合と前記左開き製本モードを設定している場合とで前記複数ページの画像データの印刷順序が逆順となるよう前記印刷手段を制御することを特徴とする請求項１乃至３のいずれかに記載の製本装置。
【請求項５】
前記回転処理設定手段が回転処理を実行すると設定している場合、前記集積手段に集積されたシート束の天地方向と前記カバーシートの天地方向を一致させるべく、前記モード設定手段が前記右開き製本モードを設定している場合と前記左開き製本モードを設定している場合とで前記給紙手段への前記カバーシートを載置する際の天地方向を異ならせるよう前記製本装置の操作者へ通知する通知手段を有することを特徴とする請求項４に記載の製本装置。
【請求項６】
複数ページの画像データを入力する入力手段と、
前記入力手段により入力された前記複数ページの画像データに基づいて、複数のシートに印刷処理する印刷手段と、
前記印刷手段により印刷処理された前記複数のシートをシート束として集積する集積手段と、
製本物の表紙として用いられるカバーシートを給紙する給紙手段と、
前記シート束と前記カバーシートを糊付けにより整合して前記製本物を作成する製本手段と、
右開きの製本物を作成する右開き製本モードと、左開きの製本物を作成する左開き製本モードのいずれかを設定するモード設定手段と、
前記モード設定手段が前記右開き製本モードを設定した場合と前記左開き製本モードを設定した場合とで、前記画像データの天地方向を異ならせる回転処理を実行する回転手段と、
を有することを特徴とする製本装置。
【請求項７】
前記集積手段に集積されたシート束の天地方向と前記カバーシートの天地方向を一致させるべく、前記モード設定手段が前記右開き製本モードを設定している場合と前記左開き製本モードを設定している場合とで前記給紙手段へ前記カバーシートを載置する際の天地方向を異ならせるよう前記製本装置の操作者へ通知する通知手段と、
を有することを特徴とする請求項６に記載の製本装置。
【請求項８】
前記入力手段は複数枚の原稿上の画像を読み取ることで前記複数ページの画像データを入力することを特徴とする請求項１乃至７のいずれかに記載の製本装置。
【請求項９】
入力手段は前記複数ページの画像データを含む印刷ジョブを外部装置から受信することで前記複数ページの画像データを入力することを特徴とする請求項１乃至７のいずれかに記載の製本装置。
【請求項１０】
前記カバーシートには、表紙と裏表紙とがレイアウトされており、
前記製本手段は、前記シート束の一端と前記カバーシートの前記製本物の背となる部分を糊付けして前記製本物を作成することを特徴とする請求項１乃至９のいずれかに記載の製本装置。
【請求項１１】
複数のシートからなるシート束と製本物の表紙として用いられるカバーシートを整合して前記製本物を作成する製本方法であって、
入力手段が、複数ページの画像データを入力する入力工程と、
モード設定手段が、右開きの製本物を作成する右開き製本モードと、左開きの製本物を作成する左開き製本モードのいずれかを設定するモード設定工程と、
印刷手段が、前記入力工程にて入力された前記複数ページの画像データに基づいて、複数のシートに印刷処理する印刷工程と、
製本手段が、前記印刷工程にて印刷処理した複数のシートからなるシート束と前記カバーシートを整合して前記製本物を作成する製本工程とを有し、
前記印刷工程は、前記モード設定工程にて前記右開き製本モードを設定した場合と前記左開きの製本モードを設定した場合とで、前記複数ページの画像データの印刷順序が逆順となるよう印刷処理を実行することを特徴とする製本方法。
【請求項１２】
複数のシートからなるシート束と製本物の表紙として用いられるカバーシートを糊付けにより整合して前記製本物を作成する製本方法であって、
入力手段が、複数ページの画像データを入力する入力工程と、
モード設定手段が、右開きの製本物を作成する右開き製本モードと、左開きの製本物を作成する左開き製本モードのいずれかを設定するモード設定工程と、
回転手段が、前記モード設定工程にて前記右開き製本モードを設定した場合と前記左開き製本モードを設定した場合とで、前記画像データの天地方向を異ならせる回転処理を実行する回転工程と、
印刷手段が、前記回転工程を経た前記複数ページの画像データに基づいて、複数のシートに印刷処理する印刷工程と、
製本手段が、前記印刷工程にて印刷処理した複数のシートからなるシート束と前記カバーシートを糊付けにより整合して前記製本物を作成する製本工程と、
を有することを特徴とする製本方法。
【請求項１３】
シート束を集積する集積手段と、製本物の表紙として用いられるカバーシートを給紙する給紙手段と、前記シート束と前記カバーシートを整合して前記製本物を作成する製本手段とを有する製本装置と接続可能な印刷装置であって、
複数ページの画像データを入力する入力手段と、
前記入力手段により入力された前記複数ページの画像データに基づいて、複数のシートに印刷処理して前記製本装置の前記集積手段に集積させる印刷手段と、
右開きの製本物を作成する右開き製本モードと、左開きの製本物を作成する左開き製本モードのいずれかを設定するモード設定手段と、
前記モード設定手段が前記右開き製本モードを設定した場合と前記左開きの製本モードを設定した場合とで、前記複数ページの画像データの印刷順序が逆順となるよう前記印刷手段を制御する制御手段と、
を有することを特徴とする印刷装置。
【請求項１４】
シート束を集積する集積手段と、製本物の表紙として用いられるカバーシートを給紙する給紙手段と、前記シート束と前記カバーシートを糊付けにより整合して前記製本物を作成する製本手段とを有する製本装置と接続可能な印刷装置であって、
複数ページの画像データを入力する入力手段と、
前記入力手段により入力された前記複数ページの画像データに基づいて、複数のシートに印刷処理して前記製本装置の集積手段に集積させる印刷手段と、
右開きの製本物を作成する右開き製本モードと、左開きの製本物を作成する左開き製本モードのいずれかを設定するモード設定手段と、
前記モード設定手段が前記右開き製本モードを設定した場合と前記左開き製本モードを設定した場合とで、前記画像データの天地方向を異ならせる回転処理を実行する回転手段と、
を有することを特徴とする印刷装置。
【発明の詳細な説明】
【技術分野】
【０００１】
本発明は、製本装置、製本方法及び印刷装置に関する。
【背景技術】
【０００２】
従来から、複数ページのシート（紙）からなるシート束を、表紙（例えば、表表紙と裏表紙）がレイアウトされたカバーシートで整合することで製本物を作成する製本装置が知られている。
【０００３】
シート束とカバーシートを整合する方式としては、種々の方式が知られている。その一例として、シート束のシートサイズより大きいカバーシート（例えば、Ａ４のシート束に対するＡ３のカバーシート）の中央部を、シート束の一端と糊付けして包み込むくるみ製本方式が知られている。
【０００４】
従来から行われている製本方式は、製本物の本文となるシート束の作成処理と、カバーシートの作成処理を別々に行い、各々作成されたシート束とカバーシートを製本装置にセットすることで製本処理を実行するものである。この製本方式にあっては、製本装置へのシート束とカバーシートのセットは、製本装置の操作者が手作業にて行っていた。
【０００５】
そして、操作者による手作業を軽減するために、シート束及びカバーシートの作成と、それらを用いた製本処理を、操作者による操作が介在しない一連の処理として実行する製本装置が提案されている（例えば、特許文献１参照。）。
【特許文献１】特開２００４−１５５１５２号公報
【発明の開示】
【発明が解決しようとする課題】
【０００６】
ところで、製本物には、右開きの製本物と左開きの製本物とが存在する。ここで、右開きの製本物と左開きの製本物の違いについて図１０〜１３を用いて説明する。
【０００７】
図１０は、左開きの製本物の構成を示す図であり、図１１は、左開きの製本物を作成するためのカバーシートの構成を示す図である。また、図１２は、右開きの製本物の構成を示す図であり、図１３は、右開きの製本物を作成するためのカバーシートの構成を示す図である。図１０〜図１３において、１０００〜１００２は、カバーシート上の領域を示す。１００２は製品物の背となる背表紙領域であり、１０００は背表紙領域１００２の右に位置する領域であり、１００１は背表紙領域１００２の左に位置する領域である。
【０００８】
そして、カバーシートに表紙として“Ａ”をレイアウトし、裏表紙として“Ｂ”をレイアウトする場合、左開きの製本物を作成する場合と右開きの製本物を作成する場合とで、カバーシートに対する表紙と裏表紙のレイアウトが異なったものとなる。つまり、左開きの製本物を作成するためのカバーシート（図１１）は、領域１０００に表紙がレイアウトされ（図１０（ａ））、領域１００１に裏表紙がレイアウトされる（図１０（ｂ））。一方で、右開きの製本物を作成するためのカバーシート（図１３）は、領域１０００に裏表紙がレイアウトされ（図１２（ａ））、領域１００１に表紙がレイアウトされる（図１２（ｂ））。
【０００９】
また、左開きの製本物を作成する場合と右開きの製本物を作成する場合とで、表紙をめくる方向が異なったものとなる。つまり、左開きの製本物にあっては表紙を左方向にめくることで本文の１ページ目が出現するのに対して（図１０（ｃ））、右開きの製本物にあっては表紙を右方向にめくることで本文の１ページ目が出現する（図１２（ｄ））。
【００１０】
以上説明した差異を有する右開きの製本物と左開きの製本物とを適切に作成するためには、カバーシートへの表紙のレイアウトや、そのカバーシートを用いた製本の作業を、人為的に取り決めておかなければならなかった。しかし、シート束及びカバーシートの作成と、それらを用いた製本処理を一連の処理として実行する特許文献１に記載の製本装置では、そのような取り決めを踏まえた適切な製本物を作成することができなかった。
【００１１】
そこで、本発明は、シート束及びカバーシートの作成と、それらを用いた製本処理を一連の処理として実行するにあたって、右開きの製本物を作成するか左開きの製本物を作成するかを考慮して適切に製本物を作成する製本装置、製本方法及び印刷装置を提供することを目的とする。
【課題を解決するための手段】
【００１２】
上記目的を達成するために、本発明の製本装置は、複数ページの画像データを入力する入力手段と、前記入力手段により入力された前記複数ページの画像データに基づいて、複数のシートに印刷処理する印刷手段と、前記印刷手段により印刷処理された前記複数のシートをシート束として集積する集積手段と、製本物の表紙として用いられるカバーシートを給紙する給紙手段と、前記シート束と前記カバーシートを整合して前記製本物を作成する製本手段と、右開きの製本物を作成する右開き製本モードと、左開きの製本物を作成する左開き製本モードのいずれかを設定するモード設定手段と、前記モード設定手段が前記右開き製本モードを設定した場合と前記左開きの製本モードを設定した場合とで、前記複数ページの画像データの印刷順序が逆順となるよう前記印刷手段を制御する制御手段とを有することを特徴とする。
【００１３】
また、本発明の製本装置は、複数ページの画像データを入力する入力手段と、前記入力手段により入力された前記複数ページの画像データに基づいて、複数のシートに印刷処理する印刷手段と、前記印刷手段により印刷処理された前記複数のシートをシート束として集積する集積手段と、製本物の表紙として用いられるカバーシートを給紙する給紙手段と、前記シート束と前記カバーシートを糊付けにより整合して前記製本物を作成する製本手段と、右開きの製本物を作成する右開き製本モードと、左開きの製本物を作成する左開き製本モードのいずれかを設定するモード設定手段と、前記モード設定手段が前記右開き製本モードを設定した場合と前記左開き製本モードを設定した場合とで、前記画像データの天地方向を異ならせる回転処理を実行する回転手段とことを特徴とする。
【００１４】
また、本発明の製本方法は、複数のシートからなるシート束と製本物の表紙として用いられるカバーシートを整合して前記製本物を作成する製本方法であって、入力手段が、複数ページの画像データを入力する入力工程と、モード設定手段が、右開きの製本物を作成する右開き製本モードと、左開きの製本物を作成する左開き製本モードのいずれかを設定するモード設定工程と、印刷手段が、前記入力工程にて入力された前記複数ページの画像データに基づいて、複数のシートに印刷処理する印刷工程と、製本手段が、前記印刷工程にて印刷処理した複数のシートからなるシート束と前記カバーシートを整合して前記製本物を作成する製本工程とを有し、前記印刷工程は、前記モード設定工程にて前記右開き製本モードを設定した場合と前記左開きの製本モードを設定した場合とで、前記複数ページの画像データの印刷順序が逆順となるよう印刷処理をすることを特徴とする。
【００１５】
また、本発明の製本方法は、複数のシートからなるシート束と製本物の表紙として用いられるカバーシートを糊付けにより整合して前記製本物を作成する製本方法であって、入力手段が、複数ページの画像データを入力する入力工程と、モード設定手段が、右開きの製本物を作成する右開き製本モードと、左開きの製本物を作成する左開き製本モードのいずれかを設定するモード設定工程と、回転手段が、前記モード設定工程にて前記右開き製本モードを設定した場合と前記左開き製本モードを設定した場合とで、前記画像データの天地方向を異ならせる回転処理を実行する回転工程と、印刷手段が、前記回転工程を経た前記複数ページの画像データに基づいて、複数のシートに印刷処理する印刷工程と、製本手段が、前記印刷工程にて印刷処理した複数のシートからなるシート束と前記カバーシートを糊付けにより整合して前記製本物を作成する製本工程と、ことを特徴とする。
【００１６】
また、本発明の印刷装置は、シート束を集積する集積手段と、製本物の表紙として用いられるカバーシートを給紙する給紙手段と、前記シート束と前記カバーシートを整合して前記製本物を作成する製本手段とを有する製本装置と接続可能な印刷装置であって、複数ページの画像データを入力する入力手段と、前記入力手段により入力された前記複数ページの画像データに基づいて、複数のシートに印刷処理して前記製本装置の前記集積手段に集積させる印刷手段と、右開きの製本物を作成する右開き製本モードと、左開きの製本物を作成する左開き製本モードのいずれかを設定するモード設定手段と、前記モード設定手段が前記右開き製本モードを設定した場合と前記左開きの製本モードを設定した場合とで、前記複数ページの画像データの印刷順序が逆順となるよう前記印刷手段を制御する制御手段とを有することを特徴とする。
【００１７】
また、本発明の印刷装置は、シート束を集積する集積手段と、製本物の表紙として用いられるカバーシートを給紙する給紙手段と、前記シート束と前記カバーシートを糊付けにより整合して前記製本物を作成する製本手段とを有する製本装置と接続可能な印刷装置であって、複数ページの画像データを入力する入力手段と、前記入力手段により入力された前記複数ページの画像データに基づいて、複数のシートに印刷処理して前記製本装置の集積手段に集積させる印刷手段と、右開きの製本物を作成する右開き製本モードと、左開きの製本物を作成する左開き製本モードのいずれかを設定するモード設定手段と、前記モード設定手段が前記右開き製本モードを設定した場合と前記左開き製本モードを設定した場合とで、前記画像データの天地方向を異ならせる回転処理を実行する回転手段とを有することを特徴とする。
【発明の効果】
【００１８】
本発明によれば、製本装置の操作者にカバーシートの載置方向を換えさせることによる操作性の低下を招くことなく、右開きの製本物を作成するか左開き製本物を作成するかを考慮して適切に製本物を作成することができる。
【００１９】
また、本発明によれば、複数ページの画像データの印刷順序を変えることによる生産性の低下を招くことなく、右開き製本の製本物を作成するか左開きの製本物を作成するかを考慮して適切に製本物を作成することができる。
【発明を実施するための最良の形態】
【００２０】
以下、添付図面を参照して本発明の実施の形態を説明する。
【００２１】
（第１の実施形態）
＜製本システム（製本装置）の全体構成＞
図１は、本発明の実施形態に対応する製本システム（製本装置）の全体構成を示す図である。
【００２２】
図１において、１０５は印刷装置であり、画像データに基づいてシートに印刷処理をするとともに、印刷処理されたシートをスタッカ装置１０４へ搬送する。スタッカ装置１０４は、印刷装置１０５から搬送されたシートをスタックトレイ（不図示）に積載する。また、スタッカ装置１０４は、印刷装置１０５から搬送されたシートをスタックトレイに積載することなく、くるみ製本装置１０３へ搬送することもできる。くるみ製本装置１０３は、印刷装置１０５からスタッカ装置１０４を介して搬送される複数のシートＳを後述する集積トレイ４２にシート束Ｓ１として積載する。そして、集積トレイ４２に積載されたシート束Ｓ１を後述するカバーシート積載トレイ７０に積載されたカバーシートＳ２でくるむことでくるみ製本物を作成する。
【００２３】
なお、くるみ製本装置１０３は、スタッカ装置１０４から搬送されたシートＳを集積トレイ４２に積載することなく、中綴じ製本装置１０２へ搬送することもできる。中綴じ製本装置１０２は、印刷装置１０５からくるみ製本装置１０３を介して搬送される複数のシートＳからなるシート束Ｓ１に対してステイプル処理を実行することで中綴じ製本物を作成する。なお、中綴じ製本装置１０２にて作成された中綴じ製本物は、断裁装置１０１に搬送され断裁処理が実行される。
【００２４】
なお、図１では製本システム（製本装置）２０００を、印刷装置１０５、スタッカ装置１０４、くるみ製本装置１０３、中綴じ製本装置１０２及び断裁装置１０１で構成したが他の構成であってもよい。少なくとも印刷装置１０５とくるみ製本装置１０３を組み合わせることで、本実施形態に対応する製本システム（製本装置）２０００を構成することができる。
【００２５】
＜印刷装置の制御構成＞
図２は、本発明の実施形態に対応する印刷装置１０５の制御構成を示すブロック図である。
【００２６】
図２において２０１はスキャナ部であり、複数枚の原稿（紙等のシートに画像が印刷されたもの）を光学的に読み取って画像データを生成するとともに、読み取られた画像データに対して画像処理（例えば、シェーディング補正処理）を実行する。そして、スキャナ部２０１は、画像処理が実行された複数ページの画像データを１つの印刷ジョブとしてハードディスク（ＨＤＤ）２０９へ記憶させる。２０２は外部Ｉ／Ｆであり、印刷装置１０５にネットワークを介して接続された外部装置から複数ページの画像データを含む印刷ジョブを受信する。そして、外部Ｉ／Ｆ２０２は、受信した印刷ジョブをハードディスク２０９へ記憶させる。２０３はプリンタ部であり、ハードディスク２０９に記憶された印刷ジョブに基づいて、複数のシートＳに印刷処理を実行する。なお、印刷ジョブは複数ページの画像データから構成されているので、複数の画像データが複数のシートの各々に印刷処理される。２０４は操作部であり、印刷装置１０５の操作者による各種の指示を受け付け、受け付けた指示をメモリコントローラ部２０６へ伝えることで印刷装置１０５に各種の設定を行うものである。
【００２７】
ＣＰＵ２０５は、ＲＯＭ２０７から読み込んだプログラムをＲＡＭ２０８へ書き込み、ＲＡＭ２０８を用いてプログラムを実行することで印刷装置１０５を含む製本システム２０００の全体を制御する。なお、ＲＯＭ２０７には、外部Ｉ／Ｆ２０２が外部装置から印刷ジョブとして受信したＰＤＬ（Ｐａｇｅ  Ｄｅｓｃｒｉｐｔｉｏｎ  ｌａｎｇｕａｇｅ：ページ記述言語）コードデータを解釈するためのプログラムが記憶されている。さらに、ＲＯＭ２０７には、ＰＤＬコードデータを解釈した後にプリント部２０３にて印刷可能なデータを生成するためのプログラムが記憶されている。メモリコントローラ部２０６は、ＲＯＭ２０７、ＲＡＭ２０８、及びハードディスク２０９に対する、各部からのアクセスを制御する。
【００２８】
圧縮伸長部２１０は、ＪＢＩＧやＪＰＥＧ等といった各種圧縮方式によってＲＡＭ２０８、ハードディスク２０９に記憶されている画像データに圧縮処理を実行することができる。また、圧縮伸長部２１０は、各種圧縮方式により圧縮処理された画像データを伸長する伸長処理を実行することができる。
【００２９】
回転部２３１は、ハードディスク２０９に記憶された画像データをプリンタ部２０３へ送信して印刷処理を実行させるにあたって、画像データを回転させる必要がある場合に、回転処理を実行するものである。回転部２３１は、回転処理として、画像データの天地方向を逆転させる１８０°回転処理や、９０°回転処理等の、任意の角度の回転処理を実行することができる。なお、回転部２３１が実行する回転処理の回転角度の設定等は、ＣＰＵ２０５からできるものとする。
【００３０】
オプションＩ／Ｆ２３０は、ＣＰＵ２０５が、印刷装置１０５に接続されるオプション装置としてのスタッカ装置１０４、くるみ製本装置１０３、中綴じ製本装置１０２及び断裁装置１０１と通信するためのインターフェースである。スタッカ装置１０４、くるみ製本装置１０３、中綴じ製本装置１０２及び断裁装置１０１は各々内部の動作を制御するためのＣＰＵ（不図示）を有する。そして、印刷装置１０５のＣＰＵ２０５は、オプションＩ／Ｆ２３０を介して各オプション装置のＣＰＵを制御するための制御コマンドを送信することにより、スタッカ装置１０４、くるみ製本装置１０３、中綴じ製本装置１０２及び断裁装置１０１を制御する。
【００３１】
＜印刷装置の構成＞
次に、印刷装置１０５の構成について、図３を用いて説明する。
【００３２】
印刷装置１０５は、大きく分けてスキャナ部２０１およびプリンタ部２０３から構成される。スキャナ部２０１は、原稿給送ユニット２５０に積載されたシート束をその積載順に従って先頭（最上部）から順次１枚ずつプラテンガラス２１１上に給送する。そして原稿給送ユニット２５０は、スキャナユニット２２０による読み取り動作が終了した後、排出トレイ２１９に排出する。スキャナユニット２１０は、プラテンガラス２１１上に原稿シートが搬送されると、ランプ２１２を点灯して光学ユニット２１３の移動を開始させ、シート状の原稿を下方から照射しながら走査する。原稿からの反射光が複数のミラー２１４、２１５、２１６およびレンズ２１７を通ってＣＣＤイメージセンサ（以下、ＣＣＤ）２１８に導かれ、走査された原稿上の画像はＣＣＤ２１８によって画像データとして読み取られる。ＣＣＤ２１８で読み取られた画像データは、所定の画像処理が施された後、ハードディスク２０９に記憶される。
【００３３】
プリンタ部２０３は、ハードディスク２０９から読み出される画像データに対応するレーザ光を、レーザドライバ３２１によって駆動されるレーザ発光部３２２から出力する。レーザ光を照射された感光ドラム３２３にはレーザ光に応じた静電潜像が形成され、現像器３２４は静電潜像の部分に現像剤（例えば、トナー）を付着させる。
【００３４】
一方、レーザ光の照射開始と同期したタイミングで、カセット３１１、カセット３１２、カセット３１３、カセット３１４、手差しトレイ３１５の何れかからシートＳを給紙し、搬送路３３１を経由して転写部３２５まで搬送する。ここで、手差しトレイ３１５には、シートＳが載置されたことを検知するシート検知センサ３１５ａが設けられている。転写部３２５は感光ドラム３２３に付着している現像剤をシートＳ上に転写する。現像剤が転写されたシートＳは搬送ベルト３２６によって定着部３２７に搬送され、定着部３２７にて加熱される。それによりシートＳ上の現像剤は、シートＳに定着される。現像剤が定着したシートＳは、搬送路３３５、３３４を経由してスタッカ装置１０４に搬送される。スタッカ装置１０４にシートＳを搬送するにあたってシートＳを反転させてから搬送する場合、ＣＰＵ２０５はシートＳを搬送路３３６、３３８まで導くようプリンタ部２０３を制御する。そしてその後に、シートＳを逆方向に搬送し、搬送路３３７、３３４を経由してスタッカ装置１０４にシートＳを搬送する。
【００３５】
＜くるみ製本装置の構成＞
次に、図８を用いてくるみ製本装置１０３の構成について説明する。
【００３６】
くるみ製本装置１０３は、シートＳを搬送して整合する搬送整合部２１と、接着剤塗布部２２と、裁断部２３とを少なくとも備えている。なお、裁断部２３における裁断は、シート束Ｓ１の接着面以外の三方向を裁断することが可能である。
【００３７】
搬送整合部２１は、印刷装置１０５からスタッカ装置１０４を経て搬送されたシートＳを搬送する第１の搬送路Ｔ１と、第１の搬送路Ｔ１から二股に分岐する第２および第３の搬送路Ｔ２，Ｔ３とを備えている。第１の搬送路Ｔ１には搬入ローラ対２５が設けられており、この搬入ローラ対２５の下流側には、第２の搬送路Ｔ２と第３の搬送路Ｔ３との分岐部に、搬送路を切り替えるための切替フラッパ２７が設けられている。
【００３８】
このような搬送路の形態において、ＣＰＵ２０５が通常の排出モードを選択すると、印刷装置１０５から第１の搬送路Ｔ１を通じてくるみ製本装置１０３内に搬入されたシートＳは、切替フラッパ２７によって第３の搬送路Ｔ３へと案内される。そして、この第３の搬送路Ｔ３に設けられた複数の搬送ローラ対２９を介して、中綴じ製本装置１０２へ搬送される。一方、ＣＰＵ２０５がくるみ製本モードを選択すると、シートＳは、切替フラッパ２７によって第２の搬送路Ｔ２へと案内されるとともにに、さらに、搬送整合部２１の整合域を構成する集積トレイ４２に搬送される。この集積トレイ４２は、シートＳを受ける受け部４２ａを備えており、この受け部４２ａによって所定枚数のシートＳを傾斜させた状態で積載し、１つのシート束Ｓ１を形成する。
【００３９】
また、受け部４２ａは、所定枚数のシートＳからなるシート束Ｓ１が形成されると、位置Ｐ１へと下方に向けて所定距離だけ移動された後、その移動方向と直交する方向（斜め下方）に所定距離だけ移動されることにより位置Ｐ２に位置決めされる。このような受け部４２ａの移動は、詳細に図示しない移動機構によって行なわれる。
【００４０】
また、第２の位置Ｐ２には、受け部４２ａ上に積載されたシート束Ｓ１の端部を保持するグリッパ（搬送手段）５５ａ，５５ｂが設けられている。これらのグリッパ５５ａ，５５ｂは、保持したシート束Ｓ１を、略鉛直方向に向ける（略鉛直方向に立たせる）。そして、その略鉛直状態を維持したまま（シート束Ｓ１の１つの端縁（後述する接着剤が塗布される端縁）を下にして）接着剤塗布部２２に向けて下方に移動させる。
【００４１】
そして、シート束Ｓ１は、接着ユニット６６の移動経路における塗布領域上の所定の位置に略鉛直状態で位置決めされる。次に、待機位置で待機していた接着ユニット６６が塗布領域の所定の起点位置へと移動される。そして、その後、接着ユニット６６は、塗布ローラ６８ｂが正回転されてシート束Ｓ１の端縁に接触された状態で、起点位置から所定の折り返し位置に向けシート束Ｓ１に対して移動される。これにより、シート束Ｓ１の端縁には、容器６６ａ内の接着剤を表面に担持した塗布ローラ６８ｂにより、接着剤が満遍なく塗布されていく。
【００４２】
接着ユニット６６が前述した折り返し位置に達すると、塗布ローラ６８ｂの正回転が停止され、接着ユニット６６の移動も停止される。そして、この時点から、今度は、塗布ローラ６８ｂが逆回転された状態で、接着ユニット６６が折り返し位置から起点位置に向けて移動し始める。そして、接着ユニット６６が再度起点位置に達した段階で、塗布ローラ６８ｂの逆回転が停止され、接着ユニット６６の移動も停止される。そして、以上のような往復移動が例えば２回行なわれた後、接着剤の塗布作業が終了する。
【００４３】
シート束Ｓ１の端縁に対する接着剤の塗布が終了すると、接着ユニット６６が待機位置もしくは補充位置へと移動され、シート束Ｓ１の搬送経路が確保される。その後、この略鉛直な搬送経路を通じて（接着ユニット６６の移動方向と交差する方向で）、グリッパ５５ａ，５５ｂにより挟持されたシート束Ｓ１が表紙接着部６０へと下降される。
【００４４】
また、このようにしてシート束Ｓ１の端縁に接着剤が塗布されるまでの間に、表紙接着部６０にはカバーシート積載トレイ７０から既にカバーシートＳ２が搬送されて待機されている。そしてカバーシートＳ２の背表紙領域１００２の裏側は、シート束Ｓ１の略鉛直な搬送経路を横切る表紙接着部６０の所定位置に位置決めされる。そして、この位置決めされたカバーシートＳ２に対し、接着剤が塗布されたシート束Ｓ１の端縁がグリッパ５５ａ，５５ｂによって上側から鉛直方向で押し付けられる。また、この状態で、シート束Ｓ１は、接着剤によりその端縁にカバーシートＳ２が付着されたまま、グリッパ５５ａ，５５ｂによって更に鉛直下方へと移動され、表紙接着部６０の下側に位置するスライド自在な突き当て板５９に押し付けられる。その後、カバーシートＳ２およびシート束Ｓ１は、突き当て板５９に突き当てられた状態で、スライド自在な背折り板によって両側からプレスされる。これにより、カバーシートＳ２には、シート束Ｓ１の厚さに応じた折り目が形成される。
【００４５】
次に、突き当て板５９が外側にスライド移動して、シート束Ｓ１の搬送経路が形成された後、グリッパ５５ａ，５５ｂは、カバーシートＳ２が接着されたシート束Ｓ１を挟持したまま下方の裁断部２３へと引き渡す。
【００４６】
次に、裁断部２３について説明する。
【００４７】
１２０は断裁ユニット、１２１は回転テーブル、１２２は回転テーブル１２１上のシート束Ｓ１を挟持固定する回転自在のグリッパ、１２２ａはグリッパ１２２を回転テーブル１２１に対して押圧するグリッパ駆動機構である。また、１２２ｂはグリッパ１２２を断裁ユニット１２０の方向へ自在に移動させるグリッパ移動機構、１２２ｃはグリッパ１２２を保持するグリッパフレームである。断裁ユニット１２０は、断裁刃１２０ａと、断裁時にシート束Ｓ１の端部を押圧する可動押え板１２０ｂと、固定押え板１２０ｃと、これらを駆動する押え板移動機構とを備えている。
【００４８】
カバーシートＳ２が接着されたシート束Ｓ１がグリッパ５５ａ，５５ｂによって裁断部２３へ引き渡されると、シート束Ｓ１が断裁刃１２０ａの方へと鉛直方向に搬送される。シート束Ｓ１が裁断刃１２０ａまで搬送されると、グリッパ１２２が駆動されて、シート束Ｓ１がグリッパ１２２と回転テーブル１２１との間で挟持固定される。
【００４９】
次に、断裁刃１２０ａは、シート束Ｓ１の厚さ情報に基づいて、シート束Ｓ１の回転および移動に必要な隙間を形成するべく所定位置まで移動して待機する。そして、断裁刃１２０ａは、シート束Ｓ１の１つの端縁を断裁する。
【００５０】
なお、１つの端縁が断裁されたら、再び、押え板１２０ｂおよび断裁刃１２０ａは、シート束Ｓ１の厚さ情報に基づいて、シート束Ｓ１の回転および移動に必要な隙間を形成するべく所定位置まで移動して待機する。そして、再度、回転テーブル１２１およびグリッパ１２２が駆動され、回転テーブル１２１とグリッパ１２２とによって挟持されているシート束Ｓ１は、次に裁断するべき端縁を断裁刃１２０ａによって断裁できる位置まで回転（１８０°回転）および移動される。そして断裁刃１２０ａは、シート束Ｓ１の１つの端縁を断裁する。また、同様の動作によりシート束Ｓ１の３つ目の端縁を断裁する。
【００５１】
以上のようにして３つの端縁の裁断が完了すると、回転テーブル１２１が元の位置に戻され、グリッパ１２２と回転テーブル１２１とで挟持されたシート束Ｓ１が排出ローラ１２３を介して収納部３４へと搬送される。この場合、排出ローラ１２３により吐き出されるシート束Ｓ１は、フラッパ１２５により収納部３４内に押し込まれるとともに、接着剤が塗布された端縁Ｓ１ａを下にした略鉛直に立てられた状態で集積収納される。なお、以下の説明において、カバーシートＳ２が接着されたシート束Ｓ１を製本物Ｓ３と呼ぶ。
【００５２】
＜操作部の構成＞
次に、図４を用いて印刷装置１０５が備える操作部２０４の構成について説明する。
【００５３】
操作部２０４は、各種ハードキー４−２４１〜４−２４６を含むハードキー群４−２４０を備える。また、操作部２０４は、液晶表示装置からなるドットマトリックスで構成される液晶表示部４−２５０を有する。液晶表示部４−２５０は表面にタッチパネルを備えている。操作部２０４は、印刷装置１０５の操作者がキー表示部を押下したことによりキー入力がされたことを検知し、ＣＰＵ２０５へキー入力に応じた信号を送信する。そして、ＣＰＵ２０５は、ＲＯＭ２０７に記憶されたプログラムに基づいて印刷装置１０５を制御し、受信した信号に応じた動作を実行する。
【００５４】
キー４−２４３は電源キーで、電源のＯＮ／ＯＦＦをする為のキーである。キー４−２４４は節電キーで、節電モードにする／節電モードを解除する為のキーである。スタートキー４−２４１は、スキャナ部２０１による原稿上の画像の読み取り動作を開始させる指示等の各種処理をスタートさせる指示を操作者に入力させる為のキーである。ストップキー４−２４２は、印刷装置１０５を含む製本システム２０００により実行中の動作を中止させる指示を操作者に入力させる為のキーである。
【００５５】
また、キー群４−２４５は、コピー枚数、ズーム倍率等を入力させる０〜９までのテンキーとその入力をクリアするためのクリアキーを有する。このキー郡４−２４５で入力されたコピー部数は、液晶表示部４−２５３に表示される。リセットキー４−２４６は、液晶表示部４−２５０やハードキー群４−２４０を介して操作者により設定された設定条件を初期状態に戻すためのキーである。
【００５６】
液晶表示部４−２５０は、ＣＰＵ２０５からの指示により、製本システム２０００の動作状態等を表示する。液晶表示部４−２５０には、タッチキーも表示される。液晶表示部４−２５０において、キー４−２５２は、印刷装置１０５が印刷処理に用いるシートＳ（用紙）が積載されたカセットを選択するキーである。ＣＰＵ２０５は、このキーが操作者により押下されると、液晶表示部４−２５０に図５（ａ）に示す用紙選択画面を表示するよう操作部２０４を制御する。
【００５７】
図５（ａ）に示す用紙選択画面のキー群４−２７１で印刷処理に用いるカセット（カセット３１１〜３１５のいずれか）が選択される。そして、ＣＰＵ２０５は、閉じるキー４−２７０が操作者により押下されると、この画面は閉じて図４の画面に戻し、選択されたカセットを表示部４−２５１に表示させる。
【００５８】
図４のキー４−２５８、４−２６２は、濃度調整を行うためのキーである。ＣＰＵ２０５は、これらのキーにより調整される濃度を表示部４−２６３に表示させる。キー４−２５９は、自動濃度調整機能をＯＮ／ＯＦＦするためのキーである。キー４−２６１は写真モード／テキストモード等の設定を行うためのキーである。
【００５９】
キー４−２５４，キー４−２５５は、それぞれ等倍，縮小／拡大を設定するためのキーである。キー４−２５５が押下されると、ＣＰＵ２０５は液晶表示部４−２５０に、図５（ｂ）に示す倍率画面を表示させ、拡大縮小を詳細に設定可能にする。図５（ｂ）に示す倍率画面のキー群４−２７３で倍率が選択され、閉じるキー４−２７２が操作者により押下されると、ＣＰＵ２０５はこの画面は閉じて図４の画面に戻す。そして、ＣＰＵ２０５は、設定された倍率を表示部４−２５１に表示させる。
【００６０】
キー４−２５７は両面キーで、キー４−２５７が押下されると、ＣＰＵ２０５は液晶表示部４−２５０に、図５（ｃ）に示す両面印刷設定画面を表示させる。以下、両面印刷の設定に関して図５（ｃ）を参照して説明する。
【００６１】
図５（ｃ）において、キー４−２８０は、片面にのみ画像が印刷された原稿（以下、片面原稿）を用いてシートの両面に印刷処理するための設定キーである。そして、キー４−２８１は、両面に画像が印刷された原稿（以下、両面原稿）を用いてシートの両面に印刷処理するための設定キーである。キー４−２８３は、両面原稿をもちいてシートの片面のみに印刷処理するための設定キーである。また、キー４−２８４は、ページ連写両面を行うための設定キーである。
【００６２】
キー４−２８５は、図５（ｃ）の両面印刷設定画面において操作者によりなされた設定を有効にするためのキーである。このキーが押下されると、ＣＰＵ２０５は、図５（ｃ）の両面印刷設定画面での設定を有効にし、液晶表示部４−２５０の表示を図４の画面に戻す。また、キー４−２８２は、図５（ｃ）において行った設定を取り消すためのキーであり、このキーが押下されると、ＣＰＵ２０５は、図５（ｃ）の両面印刷設定画面での設定を無効にし、液晶表示部４−２５０の表示を図４の画面に戻す。
【００６３】
キー４−２８６は、詳細設定をユーザにより実行可能にする為のキーである。このキー４−２８６がユーザにより押下されると、ＣＰＵ２０５は、液晶表示部４−２５０に、図５（ｄ）に示す画面を表示させる。以下、両面印刷の詳細設定に関して図５（ｄ）を参照して説明する。
【００６４】
図５（ｄ）において、キー４−２９０は、印刷装置１０５が印刷処理したシートＳを左右開きの印刷物とするための設定キーであり、キー４−２９１は、シートＳを上下開きの印刷物とするための設定キーである。キー４−２９１又はキー４−２９２により両面印刷の種類を選択し、閉じるキー４−２９２が押下されると、ＣＰＵ２０５はこの画面は閉じ、液晶表示部４−２５０の表示を図５（ｃ）の画面に戻す。
【００６５】
以上示したように、図５（ｃ）の両面印刷設定画面，図５（ｄ）の両面印刷詳細設定画面により、両面印刷が設定可能となる。
【００６６】
図４の表示画面上のキー４−２５６は、シート処理装置２３０により実行させるべきシート処理をユーザが指示する為の設定画面を操作部１２３の表示部に表示させる指示をユーザにより入力可能にする為のソータキーである。
【００６７】
キー４−２５６が操作者により押下されると、ＣＰＵ２０５は、操作部２０４の液晶表示部４−２５０の表示を、例えば、後述する図６（ｃ）に示す画面に移行させる。そして、ＣＰＵ２０５は、操作部２０４の液晶表示部４−２５０に、シート処理装置２３０により実行可能なシート処理の候補（くるみ製本処理、中綴じ製本）を操作者に提示する。
【００６８】
ＣＰＵ２０５は、図６（ｃ）のようなシート処理設定画面を介して、所望のシート処理の実行指示を、操作者から受け付ける。そして、ＣＰＵ２０５は、シート処理設定画面を介して操作者により選択された製本処理を実行させるように、製本システム２０００を制御する。
【００６９】
以下、図６を参照して、本実施形態の製本システム２０００における製本設定手順の流れについて説明する。
【００７０】
なお、シートＳの印刷処理に用いる複数ページの画像データを入力する方法としては、スキャナ部２０１から入力する方法（以下、第１の入力方法と呼ぶ）がある。また、ハードディスク２０９から入力する方法（以下、第２の入力方法と呼ぶ）もある。そこで、以下の説明では２つの入力方法の各々について説明する。
【００７１】
＜製本設定手順−第１の入力方法＞
図６は、ＣＰＵ２０５が、図４に示した操作部２０４の液晶表示部４−２５０に表示させる操作画面の一例を示す図である。
【００７２】
図６（ａ）は、図４に示す操作画面上のキー４−２６０が操作者により押下されたことに応じて、ＣＰＵ２０５が表示部４−２５０に表示させる応用モード画面である。
【００７３】
図６（ａ）の画面上のキー６０１は、製本モード（くるみ製本又は中綴じ製本）を設定するためのキーである。キー６０１が操作者により押下されると、ＣＰＵ２０５は、表示部４−２５０に、図６（ｂ）に示す原稿サイズ選択画面を表示させる。
【００７４】
図６（ｂ）は、製本モードにおいて製本される製本物Ｓ３の本文となるシートＳを印刷処理するのに用いる原稿のサイズを指定するための操作画面である。図６（ｂ）の画面上のキー群８０２は、本文となる原稿シートのサイズを操作者により設定させる為の原稿サイズ指定キーである。例えば、操作者により、図６（ｂ）の画面上の「Ａ４」サイズが押下され「次へ」キーが押下されると、ＣＰＵ２０５は、液晶表示部４−２５０に図６（ｃ）に示す操作画面を表示させる。
【００７５】
図６（ｃ）は、製本の種類を設定するための画面である。図６（ｃ）の画面上のくるみ製本キー６０３を押下することで、操作者は、くるみ製本処理を指定することが出来る。一方、図６（ｃ）の設定画面上の中綴じ製本キー８０４を操作者が押下することで、中綴じ製本処理を指定することが出来る。そして、ＣＰＵ２０５は、操作者がくるみ製本キー６０３を押下してくるみ製本処理を指定した場合、図７（ａ）に示す画面を液晶表示部４−２５０に表示させる。
【００７６】
図７（ａ）は、製本物Ｓ３を左開きの製本物として作成するか、右開きの製本物として作成するかを指定する画面である。ＣＰＵ２０５は、左開きキー７０１を押下したうえでキー７０３を押下することで、製本モードとして左開き製本モードを指定する。一方、ＣＰＵ２０５は、右開きキー７０２を押下したうえでキー７０３を押下することで、製本モードとして右開き製本モードを指定する。そして、ＣＰＵ２０５は、キー７０３が押下されたことにより、液晶表示部４−２５０に図７（ｂ）に示す画面を表示させる。
【００７７】
図７（ｂ）は、製本物Ｓ３を作成するために表紙として用いるカバーシートＳ２のシートサイズと、カバーシートＳ２の給紙箇所を指定するための画面である。本実施形態では、カバーシートＳ２はカバーシート積載トレイ７０に積載するので、用紙選択キー７０４が押下された後に液晶表示部４−２５０に表示される画面（不図示）にてカバーシート積載トレイ７０を指定するものとする。また、図７（ｂ）は、製本物Ｓ３を作成するために本文として用いるシートＳのシートサイズと、シートＳの給紙箇所を指定するための画面でもある。ＣＰＵ２０５は、用紙選択キー７０５が押下されると、図５（ａ）に示す画面を表示させ、カセット３１１〜３１５のいずれのカセットからシートＳを給紙するかを操作者に指定させる。そして、ＣＰＵ２０５は、用紙選択キー７０４及び７０５を介してカバーシートＳ及びシートＳの選択がされた後にキー７０６が押下されたことにより、カバーシートＳ及びシートＳに関する設定を確定させる。そして、ＣＰＵ２０５は、液晶表示部４−２５０に図７（ｃ）に示す画面を表示させる。
【００７８】
図７（ｃ）は、製本物Ｓ３の本文となるシート束Ｓ１の印刷処理をするために用いる原稿シートをスキャナ部２０１で読み取るための設定をする画面である。キー７０７はシート束Ｓ１の印刷処理をするために用いる原稿シートのサイズを設定するためのものである。ＣＰＵ２０５は、キー７０７が押下されたことにより、図６（ｂ）の画面を表示させ、操作者に原稿シートのサイズを指定させる。そして、ＣＰＵ２０５は、操作者が原稿のサイズを指定したことにより原稿のサイズを確定させる。また、７０８はシート束Ｓ１の印刷処理をするために用いる原稿が両面に印刷処理がなされた原稿シートであるかどうかを指定するためのキーである。スキャナ部２０１は、操作者がキー７０８を押下した場合は、原稿の両面を画像データとして読み取り、１枚の原稿から２ページ分の画像データを取得する。そして、ＣＰＵ２０５は、キー７０９が押下された後に液晶表示部４−２５０に図７（ｄ）に示す画面を表示させる。
【００７９】
図７（ｄ）は、製本物Ｓ３の本文となるシート束Ｓ１を、再給紙搬送路３３２を用いてシートＳの両面に印刷処理することで作成するか否かを設定する画面である。ＣＰＵ２０５は、キー７１０が押下された場合は、シートＳの片面にのみ印刷処理をするようプリント部２０３を制御する。一方で、ＣＰＵ２０５は、キー７１１が押下された場合は、シートＳの両面に印刷処理をするようプリント部２０３を制御する。そして、ＣＰＵ２０５は、キー７１２が押下された場合に、くるみ製本処理に関する設定が終了したものと判断して、図６（ａ）の画面を液晶表示部４−２５０に表示させる。
【００８０】
＜製本設定手順−第２の入力方法＞
次に、図９を用いて、製本設定をする手順を説明する。
【００８１】
前述した製本設定の手順にあっては、シートＳの印刷処理に用いる複数ページの画像データを入力する方法として、スキャナ部２０１から入力される画像データを用いる方法を説明した。以下では、シートＳの印刷処理に用いる複数ページの画像データを入力する方法として、ハードディスク２０９に予め入力されている画像データを用いる方法を説明する。
【００８２】
図９（ａ）は、図４において液晶表示部４−２５０に表示されているキー２２０３を押し下げたときに表示される画面である。
【００８３】
ここで、ボックスとは、ハードディスク２０９上の記憶領域を示すものであり、印刷装置１０５を利用する複数の操作者の各々に対して別々の記憶領域が割り当てられている。図９の例では、操作者“ｈａｓｅｇａｗａ”に対してはボックス番号“０３”が割り当てられている。そして、ＣＰＵ２０５は、“ｈａｓｅｇａｗａ”に割り当てられているボックス番号“０３”が操作者により選択されると、図９（ｂ）の画面を表示させる。図９（ｂ）は、ボックス番号“０３”に対応するハードディスク２０９内の記憶領域に記憶されている印刷ジョブを示すリストである。図９（ｂ）の例では、６つの印刷ジョブが記憶されている。この印刷ジョブは、外部Ｉ／Ｆ２０２を介して外部装置から受信したものであっても良いし、スキャナ部２０１を介して入力された複数ページの画像データであっても良い。
【００８４】
そして、図９（ｂ）にてリスト表示された複数の印刷ジョブの中から文書名が“ｌｉｓｔ．ｄｏｃ”となっているものを選択すると、ＣＰＵ２０５は、図９（ｃ）の画面を表示させる。図９（ｃ）で、ＣＰＵ２０５は、印刷ジョブが選択されたことによりプリントキー４４０３を新たに表示する。そして、文書名が“ｌｉｓｔ．ｄｏｃ”となっている印刷ジョブを用いて印刷処理を実行する場合、操作者はプリントキー４４０３を押下する。ＣＰＵ２０５は、プリントキー４４０３が押下されたことにより、図９（ｄ）の画面を表示させる。ＣＰＵ２０５は、図９（ｄ）の画面を表示させた状態で、プリント開始キー４５０３が操作者により押下されたと判断すると、文書名が“ｌｉｓｔ．ｄｏｃ”となっている印刷ジョブの実行を開始させる。一方、文書名が“ｌｉｓｔ．ｄｏｃ”となっている印刷ジョブを用いて製本処理を実行する場合、操作者は応用モードキー４５０４を押下する。操作者は応用モードキー４５０４を押下した場合、ＣＰＵ２０５は、図６（ａ）の画面を表示させる。
【００８５】
なお、図６（ａ）を表示させた後にＣＰＵ２０５が実行する動作は、前述した“製本設定手順−第１の入力方法”と基本的には同様である。従って、第１の方法とは異なる点についてのみ説明を加える。
【００８６】
“第１の入力方法”では、図７（ｃ）においてキー７０７及び７０８を用いた設定を行うものであった。この設定を行ったのは、スキャナ部２０１から入力される画像データを用いて印刷処理を行うためであった。それに対して“第２の入力方法”では、図９（ｂ）にて操作者が選択した印刷ジョブを用いて印刷処理を実行するので、図７（ｃ）における設定を行う必要がない。
【００８７】
＜製本処理の実行手順−片面印刷＞
次に、図１４を用いて、第１の実施形態における製本処理のフローを説明する。ここでは、図６（ｃ）の画面にてくるみ製本キー６０３場合に実行されるくるみ製本処理について説明する。また、図１４は、図７（ｄ）にてシートＳの片面にのみ印刷処理をすると設定された場合の動作を示すものである。
【００８８】
ステップＳ１４０１で、ＣＰＵ２０５は、複数ページの画像データの入力処理を実行する。ここで、入力処理は前述した２つの入力方法のいずれかを用いて実行することができる。スキャナ部２０１から画像データを入力する第１の方法を用いる場合は、スタートキー４−２４１が押下されたことにより原稿給送ユニット２５０に載置された原稿上の画像を読み取ることで複数ページの画像データを入力してプリンタ部２０３へ出力する。一方、ハードディスク２０９に予め入力されている画像データを用いる第２の方法の場合は、スタートキー４−２４１が押下されたことによりハードディスク２０９に記憶された印刷ジョブを読み出す。そして、メモリコントローラ部２０６が読み出された印刷ジョブをプリンタ部２０３へ出力することで複数ページの画像データを入力する。
【００８９】
ステップＳ１４０２で、ＣＰＵ２０５は、図７（ｃ）にて操作者が設定した製本モードが、右開き製本モードであるか、左開き製本モードであるかを判定する。左開き製本モードであればステップＳ１４０３へ進み、右開き製本モードであればステップＳ１４１４へ進む。
【００９０】
なお、以下のステップＳ１４０３〜Ｓ１４０７は、Ｍページの画像データからなる印刷ジョブを１ページ目、２ページ目、・・・Ｍ−１ページ目、Ｍページ目と印刷処理するフローである。それに対してステップＳ１４１４〜Ｓ１４１７は、Ｍページ目、Ｍ−１ページ目・・・２ページ目、１ページ目と、印刷順序をステップＳ１４０３〜Ｓ１４０７とは逆順にして印刷処理するフローである。
【００９１】
ステップＳ１４０３で、ＣＰＵ２０５は、複数ページの画像データの印刷順序を制御するためのページ識別情報Ｎとして、初期値の“１”を設定する。なお、このページ識別情報ＮはＲＡＭ２０８へ記憶されＣＰＵ２０５が読み出し及び書き込みが可能な情報である。
【００９２】
ＣＰＵ２０５は、ステップＳ１４０４でＮページ目の印刷処理をプリンタ部２０３に実行させ、ステップＳ１４０５でシートＳの反転処理をさせた後にシートＳをスタッカ装置１０４へ搬送させる。なお、シートＳを反転処理させているのは、シートＳの上面に印刷処理された状態（フェイスアップ）のシートＳを集積トレイ４２に下面に印刷処理された状態（フェイスダウン）で集積させるためである。ここで、ＣＰＵ２０５はスタッカ装置１０４内の搬送部（不図示）を制御してシートＳをくるみ製本装置１０３へ搬送させる。また、ＣＰＵ２０５はくるみ製本装置１０３を制御してスタッカ装置１０４から搬送されたシートＳを集積トレイ４２へ搬送させる。
【００９３】
ＣＰＵ２０５は、ステップ１４０６でページ識別情報Ｎに１を加算してステップ１４０７へ進む。ステップＳ１４０７でＣＰＵ２０５は、ページ識別情報ＮがＭ＋１となったかを判定し、Ｎ＝Ｍ＋１であればステップＳ１４０８へ進み、そうでなければステップＳ１４０４へ戻る。ここで、Ｍは印刷ジョブの総ページ数であり、例えば１０ページの画像データからなる印刷ジョブであれば１０が設定される。なお、前述の第２の方法にあっては、印刷ジョブが予めハードディスク２０９に記憶されており総ページ数が決まっているので、そのページ数をＭに設定することとなる。一方、第１の方法にあっては、原稿ユニット２０５が読み取る原稿の枚数は、予め分からない。そこで、ＣＰＵ２０５は、ステップＳ１４０７においては、引き続き読み込むべき原稿があるかないかを原稿ユニット２０５に設置される原稿検知センサ（不図示）等で検知することでステップＳ１４０７における判定をするものとする。具体的には、ＣＰＵ２０５は、引き続き読み込むべき原稿がないと判定すればステップＳ１４０８へ進み、そうでなければステップＳ１４０４へ戻る。
【００９４】
ＣＰＵ２０５は、以上のステップＳ１４０４からＳ１４０７を繰り返すことで、集積トレイ４２へ複数枚のシートＳを集積させてシート束Ｓ１を生成する。なお、この場合に集積トレイ４２に集積されるシート束Ｓ１を模式的に示したものが図１６である。図１６における数字はページ番号を模式的に示したものであり、実際には数字に対応するページの画像がシートの下面に印刷処理されている。図１６は、５ページの画像データからなる印刷ジョブを実行した場合に対応し、集積トレイ４２にシートＳがフェイスダウン（印刷処理された面が下向きの状態）にて集積されている。なお、この場合の印刷順序は、１ページ目が先頭となり、５ページ目が最後となる。
【００９５】
次に、ステップＳ１４０２にてＣＰＵ２０５が右開き製本モードと判定した場合に実行されるステップについて説明する。
【００９６】
ステップＳ１４１４で、ＣＰＵ２０５は、複数ページの画像データの印刷順序を制御するためのページ識別情報Ｎとして、初期値の“１”を設定する。
【００９７】
ＣＰＵ２０５は、ステップＳ１４１５で（Ｍ−Ｎ＋１）ページ目の印刷処理をプリンタ部２０３に実行させる。ここで、（Ｍ−Ｎ＋１）ページ目としているのは、Ｍページの印刷ジョブを印刷する場合に、最終ページであるＭページ目から印刷処理させるためである。そして、右開き製本モードでは、左開き製本モードと異なりシートＳの反転処理をさせない。これは、印刷処理されたシートＳを集積トレイ４２に上面にフェイスアップ（印刷処理された面が上向きの状態）で集積させるためである。ここで、ＣＰＵ２０５はスタッカ装置１０４内の搬送部（不図示）を制御してシートＳをくるみ製本装置１０３へ搬送させる。また、ＣＰＵ２０５はくるみ製本装置１０３を制御してスタッカ装置１０４から搬送されたシートＳを集積トレイ４２へ搬送させる。
【００９８】
ＣＰＵ２０５は、ステップ１４１６でページ識別情報Ｎをインクリメントしてステップ１４１７へ進む。ステップＳ１４１７でＣＰＵ２０５は、ページ識別情報ＮがＭ＋１となったかを判定し、Ｎ＝Ｍ＋１であればステップＳ１４０８へ進み、そうでなければステップＳ１４１５へ戻る。なお、前述のように、第１の方法にあっては、原稿ユニット２０５が読み取る原稿の枚数は、全ての原稿を読み取らないと分からない。そこで、ＣＰＵ２０５は、ステップＳ１４１７においては、引き続き読み込むべき原稿があるかないかを原稿検知センサ（不図示）等で検知することでステップＳ１４１７における判定をするものとする。具体的には、ＣＰＵ２０５は、引き続き読み込むべき原稿がないと判定すればステップＳ１４０８へ進み、そうでなければステップＳ１４１５へ戻る。
【００９９】
ＣＰＵ２０５は、以上のステップＳ１４１５からＳ１４１７を繰り返すことで、集積トレイ４２へ複数枚のシートＳを集積させてシート束Ｓ１を生成する。なお、この場合に集積トレイ４２に集積されるシート束Ｓ１を模式的に示したものが図１７である。図１７における数字はページ番号を模式的に示したものであり、実際には数字に対応するページの画像がシートの上面に印刷処理されている。図１７は、５ページの画像データからなる印刷ジョブを実行した場合に対応し、集積トレイ４２にシートＳがフェイスアップにて集積されている。なお、この場合印刷順序は、５ページ目が先頭となり、１ページ目が最後となる。
【０１００】
以上のステップＳ１４０４〜Ｓ１４１７及びＳ１４１４〜Ｓ１４１７により集積トレイ４２に生成されたシート束Ｓ１を用いた製本処理について以下に説明する。なお、くるみ製本処理１０３を用いた具体的な動作については図８を用いて説明した通りである。
【０１０１】
ＣＰＵ２０５は、ステップＳ１４０８でシート束Ｓ１の整合処理をし、ステップＳ１４０９でシート束Ｓの一端に糊付け処理をすることでシート束Ｓ１とカバーシートＳ２を整合する。その一方で、ＣＰＵ２０５はカバーシート積載トレイに積載されているカバーシートＳ２を給紙しておく。図１４では、糊付け処理（Ｓ１４０９）をした後にカバーシートＳ２を給紙（Ｓ１４１０）することとしているが、糊付け処理をする以前にカバーシートＳ２を給紙させておいても良い。
【０１０２】
ＣＰＵ２０５は、ステップＳ１４１１で、シート束Ｓ１の一端とカバーシートＳ２の背部分（背表紙領域１００２の裏面部分）を糊付けすることで製本処理を実行する。そして、ＣＰＵ２０５は、ステップＳ１４１２へカバーシートＳ２が接着されたシート束Ｓ１に対して断裁処理をし、ステップＳ１４１３でシート束Ｓ１を収納部３４へ収納させる。
【０１０３】
＜製本処理の実行手順−両面印刷＞
次に、図１５を用いて、第１の実施形態における製本処理のフローを説明する。ここでは、図６（ｃ）の画面にてくるみ製本キー６０３場合に実行されるくるみ製本処理について説明する。また、図１５は、図７（ｄ）にてシートＳの両面に印刷処理をすると設定された場合の動作を示すものである。
【０１０４】
なお、図１５のステップＳ１５０１及び１５０２は、図１４のステップＳ１４０１及びＳ１４０２と同様であるので説明を省略する。また、図１５のステップＳ１５０９〜Ｓ１５１４は、図１４のステップＳ１４０８〜Ｓ１４１３と同様であるので説明を省略する。
【０１０５】
また、以下のステップＳ１５０３〜Ｓ１５０９は、Ｍページの画像データからなる印刷ジョブを１ページ目、・・・Ｍページ目と印刷処理するフローである。それに対してステップＳ１５１５〜Ｓ１５２１は、Ｍページ目、・・・１ページ目と、印刷順序をステップＳ１５０３〜Ｓ１５０９とは逆順にして印刷処理するフローである。なお、図１５ではシートＳの両面に印刷処理するので、１ページ目、２ページ目、３ページ目・・・と、ページを１ずつ順番に印刷処理する方法とは異なる。
【０１０６】
ステップＳ１５０３で、ＣＰＵ２０５は、ページ識別情報Ｎとして、初期値の“１”を設定する。
【０１０７】
ステップＳ１５０４で、ＣＰＵ２０５は、ページ識別情報ＮがＭ以下であるかを判定し、Ｍ以下であればステップＳ１５０５へ進み、そうでなければステップＳ１５０６へ進む。
【０１０８】
ステップＳ１５０５で、ＣＰＵ２０５は、図７（ｂ）にてキー７０５を押下することにより選択されたカセットからシートＳを給紙させ、そのシートＳにＮページ目の印刷処理を実行する。
【０１０９】
ステップＳ１５０６で、ＣＰＵ２０５は、Ｎ−３が０より大きいか否かを判定し、大きければステップＳ１５０７へ進み、そうでなければステップＳ１５０８へ進む。ステップＳ１５０７で、ＣＰＵ２０５は、再給紙搬送路３３２から搬送されるシートＳに（Ｎ−３）ページ目の印刷処理を実行する。ここで、“３”は印刷装置１０５が装置内に保持することができるシートの枚数を示す。印刷装置１０５は、両面印刷を行うにあたって、カセットからシートを３枚連続して給紙して印刷処理を実行する。その後は、再給紙搬送路３３２から搬送されるシートＳに対する印刷処理と、カセットから給紙したシートＳに対する奇数ページの印刷処理を交互に繰り返す。この繰り返しの印刷処理により、シートＳの両面に印刷処理を行う。
【０１１０】
ステップＳ１５０８で、ＣＰＵ２０５はＮに２を加算してステップＳ１５０９へ進む。ステップＳ１５０９で、ＣＰＵ２０５は、ページ識別情報ＮがＭ＋５となったかを判定し、Ｎ＝Ｍ＋５であればステップＳ１５０９へ進み、そうでなければステップＳ１５０４へ戻る。
【０１１１】
ここで、Ｓ１５０３〜Ｓ１５０９においてＣＰＵ２０５がプリンタ部２０３に実行させる印刷処理における印刷順序について、印刷ジョブが１０ページの画像データからなるものとして説明する。なお、図７（ｂ）にてカセットとしてカセット３１１が選択されているものとして説明する。
【０１１２】
まず初めに、ＣＰＵ２０５は、カセット３１１から３枚のシートＳを給紙させ、各々に１、３、５ページ目の画像データの印刷処理を実行させる。また、ＣＰＵ２０５は、１、３、５ページ目が印刷処理されたシートＳを、再給紙搬送路３３２へ搬送させる。なお、再給紙搬送路３３２から搬送されるシートＳは、印刷処理された面を下向きにして転写部３２５へ搬送される。
【０１１３】
次に、ＣＰＵ２０５は、１ページ目が印刷処理されたシートＳを転写部３２５へ搬送させ、２ページ目の画像データの印刷処理を実行させる。その後にＣＰＵ２０５は、１ページ目と２ページ目の画像データの双方が印刷処理されたシートＳをスタッカ装置１０４へ搬送させる。引き続き、ＣＰＵ２０５は、カセット３１１から給紙したシートＳへの７ページ目の画像データの印刷処理を実行させる。その後、ＣＰＵ２０５は、３ページ目が印刷処理されたシートＳを転写部３２５へ搬送させ、４ページ目の画像データの印刷処理を実行させる。次に、ＣＰＵ２０５は、カセット３１１から給紙したシートＳへの９ページ目の画像データの印刷処理を実行させる。引き続き、５、７及び９ページ目が印刷処理されたシートＳを再給紙搬送路３３２から連続して転写部３２５へ搬送させる。そして、ＣＰＵ２０５は、それらのシートＳに６、８及び１０ページ目の画像データの印刷処理を実行させる。
【０１１４】
以上のように、複数ページの画像データの印刷順序は、１−３−５−２−７−４−９−６−８−１０という順序になる。なお、この場合に集積トレイ４２に集積されるシート束Ｓ１を模式的に示したものが図１８である。図１８における数字はページ番号を模式的に示したものであり、実際には奇数に対応するページの画像がシートの下面に印刷処理されており、偶数に対応するページの画像がシートの上面に印刷処理されている。
【０１１５】
次に、ステップＳ１５０２にてＣＰＵ２０５が右開き製本モードと判定した場合に実行されるステップについて説明する。
【０１１６】
ステップＳ１５１５で、ＣＰＵ２０５は、ページ識別情報Ｎとして、初期値の“１”を設定する。
【０１１７】
ステップＳ１５１６で、ＣＰＵ２０５は、ページ識別情報ＮがＭ以下であるかを判定し、Ｍ以下であればステップＳ１５１７へ進み、そうでなければステップＳ１５１８へ進む。
【０１１８】
ステップＳ１５１７で、ＣＰＵ２０５は、図７（ｂ）にてキー７０５を押下することにより選択されたカセットからシートＳを給紙させ、そのシートＳに（Ｍ−Ｎ＋１）ページ目の印刷処理を実行する。
【０１１９】
ステップＳ１５１８で、ＣＰＵ２０５は、Ｎ−３が０より大きいか否かを判定し、大きければステップＳ１５１９へ進み、そうでなければステップＳ１５２０へ進む。ステップＳ１５１９で、ＣＰＵ２０５は、再給紙搬送路３３２から搬送されるシートＳに（Ｍ−Ｎ＋４）ページ目の印刷処理を実行する。その後は、再給紙搬送路３３２から搬送されるシートＳに対する印刷処理と、カセットから給紙したシートＳに対する印刷処理を交互に繰り返す。この繰り返しの印刷処理により、シートＳの両面に印刷処理を行う。
【０１２０】
ステップＳ１５２０で、ＣＰＵ２０５はＮに２を加算してステップＳ１５２１へ進む。ステップＳ１５２１で、ＣＰＵ２０５は、ページ識別情報ＮがＭ＋５となったかを判定し、Ｎ＝Ｍ＋５であればステップＳ１５０９へ進み、そうでなければステップＳ１５１６へ戻る。
【０１２１】
ここで、Ｓ１５１５〜Ｓ１５２１においてＣＰＵ２０５がプリンタ部２０３に実行させる印刷処理における印刷順序について、印刷ジョブが１０ページの画像データからなるものとして説明する。なお、図７（ｂ）にてカセットとしてカセット３１１が選択されているものとして説明する。
【０１２２】
まず初めに、ＣＰＵ２０５は、カセット３１１から３枚のシートＳを給紙させ、各々に１０、８、６ページ目の画像データの印刷処理を実行させる。また、ＣＰＵ２０５は、１０、８、６ページ目が印刷処理されたシートＳを、再給紙搬送路３３２へ搬送させる。
【０１２３】
次に、ＣＰＵ２０５は、１０ページ目が印刷処理されたシートＳを転写部３２５へ搬送させ、９ページ目の画像データの印刷処理を実行させる。その後にＣＰＵ２０５は、１０ページ目と９ページ目の画像データの双方が印刷処理されたシートＳをスタッカ装置１０４へ搬送させる。引き続き、ＣＰＵ２０５は、カセット３１１から給紙したシートＳへの４ページ目の画像データの印刷処理を実行させる。その後、ＣＰＵ２０５は、８ページ目が印刷処理されたシートＳを転写部３２５へ搬送させ、７ページ目の画像データの印刷処理を実行させる。次に、ＣＰＵ２０５は、カセット３１１から給紙したシートＳへの２ページ目の画像データの印刷処理を実行させる。引き続き、６、４及び２ページ目が印刷処理されたシートＳを再給紙搬送路３３２から連続して転写部３２５へ搬送させる。そして、ＣＰＵ２０５は、それらのシートＳに５、３及び１ページ目の画像データの印刷処理を実行させる。
【０１２４】
以上のように、複数ページの画像データの印刷順序は、１０−８−６−９−４−７−２−５−３−１という順序になる。この右開き製本モードにおける印刷順序は、左開き製本における印刷順序の逆順となっている。なお、この場合に集積トレイ４２に集積されるシート束Ｓ１を模式的に示したものが図１９である。図１９における数字はページ番号を模式的に示したものであり、実際には偶数に対応するページの画像がシートの下面に印刷処理されており、奇数に対応するページの画像がシートの上面に印刷処理されている。
【０１２５】
以上の図１４及び図１５で説明したように、ＣＰＵ２０５は、くるみ製本処理を実行する際の製本モードが右開き製本モードである場合と左開き製本モードである場合とで、複数ページの画像データの印刷順序が逆順序となるようにプリンタ部２０３を制御する。ここで、図２０及び図２１を用いて本実施形態による特有の効果について説明する。
【０１２６】
図２０は、右開き製本モードにおける製本物の作成工程を模式的に示した図である。図２０で、２００１は集積トレイ４２に積載されたシート束Ｓ１を示し、２００２はカバーシート積載トレイ７０に積載されたカバーシートＳ２を示す。また、２００３はシート束Ｓ１にカバーシートＳ２を接着させて作成された製本物Ｓ３を示す。
【０１２７】
図２１は、左開き製本モードにおける製本物の作成工程を模式的に示した図である。図２１で、２１０１は集積トレイ４２に積載されたシート束Ｓ１を示し、２１０２はカバーシート積載トレイ７０に積載されたカバーシートＳ２を示す。また、２１０３はシート束Ｓ１にカバーシートＳ２を接着させて作成された製本物Ｓ３を示す。
【０１２８】
図２０及び図２１の双方のおいて、カバーシート積載トレイ７０に積載されたカバーシートＳ２の載置方向は同じである。つまり、製本システム２０００の操作者は、右開き製本モードである場合と、左開き製本モードである場合とで、カバーシートの載置方向を換える必要がない。その一方で、２００１では先頭ページが印刷処理されたシートＳが最上面に載置されるのに対し、２１０１では先頭ページが印刷処理されたシートＳが最下面に載置される。そして、製本物Ｓ３は、右開き製本モードである場合も、左開き製本モードである場合も、本文の先頭ページとすべき画像データが本文の先頭ページとなるシートに印刷処理されている。
【０１２９】
従って、第１の実施形態によれば、製本システム２０００の操作者にカバーシートの載置方向を換えさせることによる操作性の低下を招くことなく、右開きの製本物を作成するか左開き製本物を作成するかを考慮して適切に製本物を作成することができる。
【０１３０】
（第２の実施形態）
次に、本発明の第２の実施形態について添付図面を用いつつ説明する。
【０１３１】
第１の実施形態は、右開き製本モードの場合と左開き製本モードの場合とで、カバーシートの載置方向を換えないよう印刷順序を制御するものであった。第１の実施形態の利点は、カバーシートの載置方向を換えることによる操作性の低下を防止するという効果があった。しかし、第１の実施形態は、利点がある一方で、右開き製本モードの場合と左開き製本モードの場合とで印刷順序を逆順とすることによる不具合も生じてしまう。例えば、スキャナ部２０１から画像データを入力する第１の入力方法を用いる場合、右開き製本モードにおいては、最終ページの印刷処理から開始するので、最終ページの原稿を画像データとして読み取るまで印刷処理を開始できないという問題がある。つまり右開き製本モードは、印刷処理を先頭ページを読み取ったのちに即座に開始できる左開き製本モードに比べて、生産性が落ちるという問題がある。そこで、第２の実施形態では、右開き製本モードの場合と左開き製本モードの場合とで印刷順序を変えることによる生産性の低下を防止する。
【０１３２】
なお、第２の実施形態は、製本処理の実行手順が異なる点を除いては第１の実施形態と同様である。以下では、製本処理の実行手順について説明し、他の説明は省略する。
【０１３３】
＜製本処理の実行手順−片面印刷＞
次に、図２２を用いて、第２の実施形態における製本処理のフローを説明する。ここでは、図６（ｃ）の画面にてくるみ製本キー６０３場合に実行されるくるみ製本処理について説明する。また、図１５は、図７（ｄ）にてシートＳの片面にのみ印刷処理をすると設定された場合の動作を示すものである。
【０１３４】
なお、図２２のステップＳ２２０１〜Ｓ２２１３は、図１４のステップＳ１４０１〜Ｓ１４１３と同様であるので説明を省略する。また、図２２のステップＳ２２１４〜Ｓ２２１９は、Ｓ２２１５を除いてステップＳ２２０３〜Ｓ２２０７と同様である。
【０１３５】
ＣＰＵ２０５は、ステップＳ２２１５で回転部２３１に、Ｎページ目の画像データの回転処理を実行させる。なお、回転部２３１は、回転処理後の画像データの天地方向が、回転処理前の画像データの天地方向の反対方向となるよう回転処理を実行する。また、この場合に集積トレイ４２に集積されるシート束Ｓ１を模式的に示したものは図１８と同様である。ただし、左開き製本モードの場合と右開き製本モードの場合とでは、シートＳ上の画像データの天地方向が異なったものとなる。具体的には、左開き製本モードでは製本装置２０００の手前方向が画像データの地となり、右開き製本モードでは製本装置２０００の手前方向が画像データの天となる。
【０１３６】
＜製本処理の実行手順−両面印刷＞
次に、図２３を用いて第２の実施形態における製本処理のフローを説明する。ここでは、図６（ｃ）の画面にてくるみ製本キー６０３場合に実行されるくるみ製本処理について説明する。また、図１５は、図７（ｄ）にてシートＳの両面に印刷処理をすると設定された場合の動作を示すものである。
【０１３７】
なお、図２３のステップＳ２３０１〜Ｓ２３１５は、図１５のステップＳ１５０１〜Ｓ１５１５と同様であるので説明を省略する。また、図２３のステップＳ２３１６〜Ｓ２２２４は、Ｓ２３１８及びＳ２３２１を除いてステップＳ２２０３〜Ｓ２２０７と同様である。
【０１３８】
ＣＰＵ２０５は、ステップＳ２３１８で回転部２３１に、Ｎページ目の画像データの回転処理を実行させる。また、ＣＰＵ２０５は、ステップＳ２３２１で回転部２３１に、Ｎページ目の画像データの回転処理を実行させる。なお、回転部２３１は、回転処理後の画像データの天地方向が、回転処理前の画像データの天地方向と反対方向となるよう回転処理を実行する。また、この場合に集積トレイ４２に集積されるシート束Ｓ１を模式的に示したものは図１８と同様である。ただし、左開き製本モードの場合と右開き製本モードの場合とでは、シートＳ上の画像データの天地方向が異なったものとなる。具体的には、左開き製本モードでは製本装置２０００の手前方向が画像データの地となり、右開き製本モードでは製本装置２０００の手前方向が画像データの天となる。
【０１３９】
以上の図２２及び２３で説明したように、ＣＰＵ２０５は、くるみ製本処理を実行する際の製本モードが右開き製本モードである場合と左開き製本モードである場合とで、画像データの天地方向を異ならせるようにプリンタ部２０３を制御する。ここで、図２４を用いて本実施形態による特有の効果について説明する。
【０１４０】
図２４は、左開き製本モードにおける製本物の作成工程を模式的に示した図である。図２４で、２４０１は集積トレイ４２に積載されたシート束Ｓ１を示し、２４０２はカバーシート積載トレイ７０に積載されたカバーシートＳ２を示す。また、２４０３はシート束Ｓ１にカバーシートＳ２を接着させて作成された製本物Ｓ３を示す。
【０１４１】
なお、右開き製本モードにおける製本物の作成工程は、図２０に示したものと同様である。
【０１４２】
図２４と図２０で、カバーシート積載トレイ７０に積載されるカバーシートＳ２の載置方向は天地方向が逆となる。その一方で、２４０１でも、２００１でも先頭ページが印刷処理されたシートＳが最下面に載置される。つまり、製本システム２０００のＣＰＵ２０５は、右開き製本モードである場合と、左開き製本モードである場合とで、印刷順序を換える必要がない。
【０１４３】
従って、第２の実施形態によれば、複数ページの画像データの印刷順序をけることによる生産性の低下を招くことなく、右開きの製本物を作成するか左開き製本物を作成するかを考慮して適切に製本物を作成することができる。
【０１４４】
なお、第２の実施形態で、製本システム２０００の操作者は、右開き製本モードである場合と、左開き製本モードである場合とで、カバーシートの載置方向を換える必要がある。そこで、右開き製本モードである場合と、左開き製本モードである場合とで、カバーシートの載置方向を操作者が間違えないように通知をすることが有効である。具体的には、左開き製本モードの設定をするにあたって、図２４の２４０１のようにカバーシートＳ２を載置するように表示を出すことで操作者に通知を行えばよい。この通知を行うのは、図７（ａ）にて左開きキー７０１が押された後、図７（ｂ）を表示させる前が好ましい。また、右開き製本モードの設定をするにあたって、図２０の２００１のようにカバーシートＳ２を載置するように表示を出すことで操作者に通知を行えばよい。この通知を行うのは、図７（ａ）にて右開きキー７０２が押された後、図７（ｂ）を表示させる前が好ましい。
【０１４５】
（第３の実施形態）
次に、本発明の第３の実施形態について添付図面を用いつつ説明する。
【０１４６】
第１の実施形態は、右開き製本モードの場合と左開き製本モードの場合とで、カバーシートの載置方向を換えないよう印刷順序が逆順となるよう制御するものであった。また、第２の実施形態は、右開き製本モードの場合と左開き製本モードの場合とで、印刷順序を同順としてカバーシートの載置方向を換えさせるものであった。
【０１４７】
それに対して、第３の実施形態は、製本システム２０００の操作者の設定により、第１の実施形態における動作と、第２の実施形態における動作を切り替えるものである。
【０１４８】
第１の実施形態及び第２の実施形態では、図７（ｃ）にて、左開きキー７０１又は右開きキー７０２のいずれかを操作者に選択させていた。それに対して、第３の実施形態でＣＰＵ２０５は、図７（ｃ）の代わりに図２５に示す画面を液晶表示部４−２５３に表示させる。図２５は、図７（ｃ）の左開きキー７０１及び右開きキー７０２に加えて、生産性優先キー２５０１が追加されている。製本システム２０００の操作者は、生産性優先キー２５０１を押下することにより生産性優先モードを選択し、生産性優先キー２５０１を押下しないことにより操作性優先モードを選択する。
【０１４９】
＜製本処理の実行手順−片面印刷＞
図７（ｄ）にてシートＳの片面にのみ印刷処理をすると設定された場合であって、生産性優先モードが選択されている場合、ＣＰＵ２０５は以下の動作を行う。それは、図２２に示すフローを実行するという動作である。図２２に示すフローは、複数ページの画像データの印刷順序を変えることがないので、右開き製本モードの場合も左開き製本モードの場合も生産性が変わらないという利点がある。
【０１５０】
一方、操作性優先モードが設定されている場合、ＣＰＵ２０５は、以下の動作を行う。それは、図１４に示すフローを実行するという動作である。図１４に示すフローは、右開き製本モードの場合も左開き製本モードの場合もカバーシートＳ２の載置方向（天地方向）を換える必要がないので、操作性が良いという利点がある。
【０１５１】
＜製本処理の実行手順−両面印刷＞
図７（ｄ）にてシートＳの両面にのみ印刷処理をすると設定された場合であって、生産性優先モードが選択されている場合、ＣＰＵ２０５は以下の動作を行う。それは、図２３に示すフローを実行するという動作である。図２３に示すフローは、複数ページの画像データの印刷順序を変えることがないので、右開き製本モードの場合も左開き製本モードの場合も生産性が変わらないという利点がある。
【０１５２】
一方、操作性優先モードが設定されている場合、ＣＰＵ２０５は、以下の動作を行う。それは、図１５に示すフローを実行するという動作である。図１５に示すフローは、右開き製本モードの場合も左開き製本モードの場合もカバーシートＳ２の載置方向（天地方向）を換える必要がないので、操作性が良いという利点がある。
【０１５３】
以上説明したように、第３の実施形態は、製本システム２０００の操作者の設定により、第１の実施形態における動作と、第２の実施形態における動作を切り替えるものである。従って、操作者が生産性を重視した製本処理を望むのか、操作性を重視した製本処理を望むのかを考慮して、適切に製本物を作成することができる。
【０１５４】
（その他の実施形態）
前述した第１〜第３の実施形態において、製本システム２０００は、印刷装置１０５から搬送されたシートＳを操作者の作業を要することなく自動的にくるみ製本装置１０３へ搬送させるものであった。しかし、シートＳを印刷装置１０５が備える排紙トレイ（不図示）へ一端排紙させてシート束Ｓ１を形成し、形成されたシート束Ｓ１を操作者が運搬することで集積トレイ４２に集積させるようにしても良い。この場合、くるみ製本装置１０３は、操作者が集積トレイ４２にシート束Ｓ１を集積させた後に、カバーシート積載トレイ７０に積載されたカバーシートＳ２を用いてくるみ製本処理を行う。
【０１５５】
そして、第１の実施形態に適用する場合、操作者は右開きの製本物として作成されたシート束Ｓ１であるかどうかを特に意識せず、排紙トレイに積載されたシート束Ｓ１の載置方向を換えずに集積トレイ４２へ積載させればよい。つまり、操作者の操作性を低下させることなく、右開きの製本物を作成するか左開きの製本物を作成するかを考慮して適切に製本物を作成することができる。
【０１５６】
また、第２の実施形態に適用する場合、操作者は右開きの製本物として作成されたシート束Ｓ１であるかどうかを意識して集積トレイ４２へのシート束Ｓを積載する必要がある。しかし、右開きの製本物を作成する場合でも左開きの製本物を作成する場合でも印刷順序を変える必要がないので、生産性を右開きの製本物を作成するか左開きの製本物を作成するかによって生産性を低下させることがない。
【０１５７】
また、第１〜第３の実施形態において、製本システム２０００は、くるみ製本処理を実行するくるみ製本装置１０３を有するものであったが、他の製本処理を実行する装置を有するようにしてもよい。例えば、表紙と裏表紙がレイアウトされたカバーシートＳ２の背表紙部分１００２を糊付けする代わりに、シート束Ｓ１を糊付けすることなくカバーシートＳ２でくるみこんだ後にステイプル処理を実行する装置であっても良い。この場合、シート束Ｓ１とカバーシートＳ２は、ステイプル針により整合されることとなる。また、表紙がレイアウトされたカバーシートをカバーシート積載トレイ７０から給紙し、シート束Ｓ１とカバーシートＳ２をバインダテープ等でバインド処理する装置であっても良い。この場合、シート束Ｓ１とカバーシートＳ２はバインダテープにより整合されることとなる。
【０１５８】
また、第１〜第３の実施形態において、製本システム２０００は、操作者の設定に基づいて右開き製本モードとするか、左開き製本モードとするかを判定するものであったが、他の態様であっても良い。例えば、右開き製本モードは、縦書きの原稿を製本処理する際に多用され、左開き製本モードは横書きの原稿を製本処理する際に多用される。そこで、ＣＰＵ２０５は、スキャナ部２０１で読み取った原稿上の画像から、縦書きの原稿なのか横書きの原稿なのかを判別するようにしても良い。この場合、ＣＰＵ２０５は、縦書き原稿であると判定した場合は自動的に右開き製本モードを設定し、横書き原稿であると判定した場合は自動的に左開き製本モードを設定することとなる。このような形態にすれば、操作者が明示的に右開き製本モードとするか、左開き製本モードかを設定することなく、自動的に右開き製本モード又は左開き製本モードを適切に設定することができる。
【０１５９】
また、本発明の目的は、前述した実施形態の機能を実現するソフトウェアのプログラムコードを記録した記憶媒体を、システムあるいは装置に供給することによっても達成される。この場合、そのシステムあるいは装置のコンピュータが記憶媒体に格納されたプログラムコードを読み出し実行すること前述した実施形態の機能を実現する。この場合、記憶媒体から読み出されたプログラムコード自体が前述した実施形態の機能を実現することになり、そのプログラムコードを記憶した記憶媒体は本発明を構成することになる。
【図面の簡単な説明】
【０１６０】
【図１】製本システム（製本装置）の全体構成を示す図である。
【図２】印刷装置１０５の制御構成を示すブロック図である。
【図３】印刷装置１０５の構成を示す断面図である。
【図４】印刷装置１０５が備える操作部２０４の構成を示す図である。
【図５】図４に示した液晶表示部に表示される操作画面の一例を示す図である。
【図６】図４に示した液晶表示部に表示される操作画面の一例を示す図である。
【図７】図４に示した液晶表示部に表示される操作画面の一例を示す図である。
【図８】くるみ製本装置の構成を示す図である。
【図９】図４に示した液晶表示部に表示される操作画面の一例を示す図である。
【図１０】左開きの製本物の構成を示す図である。
【図１１】左開きの製本物を作成するためのカバーシートの構成を示す図である。
【図１２】右開きの製本物の構成を示す図である。
【図１３】右開きの製本物を作成するためのカバーシートの構成を示す図である。
【図１４】第１の実施形態における製本処理のフローチャートである。
【図１５】第１の実施形態における製本処理のフローチャートである。
【図１６】右開き製本モードにおけるシート束Ｓ１を模式的に示した図である。
【図１７】左開き製本モードにおけるシート束Ｓ１を模式的に示した図である。
【図１８】右開き製本モードにおけるシート束Ｓ１を模式的に示した図である。
【図１９】左開き製本モードにおけるシート束Ｓ１を模式的に示した図である。
【図２０】右開き製本モードにおける製本物の作成工程を模式的に示した図である。
【図２１】左開き製本モードにおける製本物の作成工程を模式的に示した図である。
【図２２】第２の実施形態における製本処理のフローチャートである。
【図２３】第２の実施形態における製本処理のフローチャートである。
【図２４】左開き製本モードにおける製本物の作成工程を模式的に示した図である。
【図２５】図４に示した液晶表示部に表示される操作画面の一例を示す図である。
【符号の説明】
【０１６１】
１００２  背表紙領域
２０００  製本システム
１０１  断裁装置
１０２  中綴じ製本装置
１０３  くるみ製本装置
１０４  スタッカ装置
１０５  印刷装置
２０１  スキャナ部
２０３  プリンタ部
２５０  原稿給送ユニット
３１１〜３１５  カセット
３３２  再給紙搬送路
２１  搬送整合部
２２  接着剤塗布部
２３  裁断部
３４  収納部
４２  集積トレイ
７０  カバーシート積載トレイ
Ｓ  シート
Ｓ１  シート束
Ｓ２  カバーシート
Ｓ３  製本物
４−２４１  スタートキー
４−２４２  ストップキー
２５０１  生産性優先キー
【図１】
0004621148.tif 000002
【図２】
0004621148.tif 000003
【図３】
0004621148.tif 000004
【図４】
0004621148.tif 000005
【図５】
0004621148.tif 000006
【図６】
0004621148.tif 000007
【図７】
0004621148.tif 000008
【図８】
0004621148.tif 000009
【図９】
0004621148.tif 000010
【図１０】
0004621148.tif 000011
【図１１】
0004621148.tif 000012
【図１２】
0004621148.tif 000013
【図１３】
0004621148.tif 000014
【図１４】
0004621148.tif 000015
【図１５】
0004621148.tif 000016
【図１６】
0004621148.tif 000017
【図１７】
0004621148.tif 000018
【図１８】
0004621148.tif 000019
【図１９】
0004621148.tif 000020
【図２０】
0004621148.tif 000021
【図２１】
0004621148.tif 000022
【図２２】
0004621148.tif 000023
【図２３】
0004621148.tif 000024
【図２４】
0004621148.tif 000025
【図２５】
0004621148.tif 000026